(57)【要約】【課題】周囲の環境に対応して常に適切なコンテンツを提示する。【解決手段】予め設定された領域の画像を撮影し、撮影した画像により上記領域に存在する人数を判定して判定結果を送信するサイネージ装置10と、少なくとも画像を含むコンテンツデータを複数記憶し、受信した判定結果に応じたコンテンツデータを選択して読出し、サイネージ装置10へ返送する販売支援サーバSVとを備え、サイネージ装置10は販売支援サーバSVから受信したコンテンツデータを再生する。【選択図】図１
2016057607.tif 000002
【特許請求の範囲】
【請求項１】
所定の領域の画像を撮影する撮像部と、
上記撮像部で得た画像により上記領域に存在する人数を判定する判定部と、
上記判定部での判定結果に応じて複数のコンテンツデータの中から、対応するコンテンツデータを選択して読出す選択部と、
を備えることを特徴とする表示システム。
【請求項２】
上記複数のコンテンツデータは、関連する一連のコンテンツデータであり、
各上記コンテンツデータは、重要度が付与されており、
上記選択部は、重要度に応じて選択するコンテンツデータを変える
ことを特徴とする請求項１記載の表示システム。
【請求項３】
上記対応するコンテンツデータを再生する再生部をさらに備え、
上記撮像部が撮像するタイミングは、コンテンツデータの再生開始前であり、
上記再生部におけるコンテンツデータの再生途中の所定のタイミングに、上記撮像部は、上記所定の領域の画像を撮影し、
上記判定部は、上記所定のタイミングの撮影で得た画像により上記領域に存在する人数を判定し、
上記所定のタイミングの撮影で得た画像による判定結果に対応する第２の重要度が、上記コンテンツデータの再生開始前の撮像で得た画像による判定結果に対応する第１の重要度と異なる場合には、上記第２の重要度に対応するコンテンツデータを選択して読出す制御部と、
を備えることを特徴とする請求項１または２記載の表示システム。
【請求項４】
上記所定のタイミングは、所定時間経過毎、または複数のコンテンツデータを含む一連のコンテンツデータのうちの各コンテンツデータの切り替え直前であることを特徴とする請求項３記載の表示システム。
【請求項５】
上記コンテンツデータを複数記憶した記憶部と、
上記選択部で選択した上記コンテンツデータにより、コンテンツを出力するコンテンツ出力部と、
をさらに備え、
上記選択部は、上記記憶部から上記コンテンツデータを選択して読出す
ことを特徴とする請求項１乃至４いずれか記載の表示システム。
【請求項６】
上記記憶部は、人数に対応した重要度を示す情報と関連付けて上記複数のコンテンツデータを記憶し、
上記選択部は、上記判定部での判定結果により重要度が合致するコンテンツデータを選択して読出す
ことを特徴とする請求項５記載の表示システム。
【請求項７】
上記記憶部は、人数がより多い場合に重要度が高くなることを示す情報と関連付けて上記複数のコンテンツデータを記憶し、
上記選択部は、上記判定部での判定結果に応じて人数がより多い場合に上記記憶部から重要度が低いコンテンツデータの選択を段階的に省略する
ことを特徴とする請求項６記載の表示システム。
【請求項８】
上記記憶部が記憶する複数のコンテンツデータは音データを含み、
上記コンテンツ出力部は、上記判定部での判定結果に応じて音データの出力態様を可変する
ことを特徴とする請求項５乃至７いずれか記載の表示システム。
【請求項９】
所定の領域の画像を撮影する撮像手段と、
上記撮像手段で得た画像により上記領域に存在する人数を判定する判定手段と、
上記判定手段での判定結果に応じて複数のコンテンツデータの中から、対応するコンテンツデータを選択して読出す選択手段と、
を備えることを特徴とする表示装置。
【請求項１０】
所定の領域の画像を撮影する第１の撮像工程と、
上記第１の撮像工程で得た画像により上記領域に存在する人数を判定する第１の判定工程と、
上記第１の判定工程での判定結果に応じて複数のコンテンツデータの中から、対応するコンテンツデータを選択して読出す第１の選択工程と、
を有することを特徴とする表示方法。
【請求項１１】
上記対応するコンテンツデータを再生する第１の再生工程と、
上記第１の再生工程におけるコンテンツデータの再生途中の所定のタイミングに、上記所定の領域の画像を撮影する第２の撮像工程と、
上記第２の撮像工程で得た画像により上記領域に存在する人数を判定する第２の判定工程と、
を有し、
各上記コンテンツデータは、重要度が付与されており、
上記第２の判定工程での判定結果に対応する第２の重要度が、上記第１の判定工程での判定結果に対応する第１の重要度と異なる場合には、上記第２の重要度に対応するコンテンツデータを選択して読出す第２の選択工程と、
を有することを特徴とする請求項１０記載の表示方法。
【請求項１２】
上記所定のタイミングは、所定時間経過毎、または複数のコンテンツデータを含む一連のコンテンツデータのうちの各コンテンツデータの切り替え直前であることを特徴とする請求項１１記載の表示方法。
【発明の詳細な説明】
【技術分野】
【０００１】
本発明は、例えば催事場など個々の商品の説明を効率的に実施する必要がある環境に好適な表示システム、表示装置及び表示方法に関する。
【背景技術】
【０００２】
閲覧者に対する印象を高めるべく、映像コンテンツをリアプロジェクション投影により人型等のスクリーンに投影するようにした映像出力装置搭載機器が提案されている。（例えば、特許文献１）
【先行技術文献】
【特許文献】
【０００３】
【特許文献１】特開２０１１−１５０２２１号公報
【発明の概要】
【発明が解決しようとする課題】
【０００４】
上記特許文献に記載された技術を含めてこの種の映像出力装置では、予め設定された映像コンテンツ及び当該映像コンテンツに対応する音コンテンツを固定的に繰返して出力する。
【０００５】
この種の装置の使用環境から考えると、装置の周囲に閲覧者が多数存在する場合もあれば、ごく少数しか存在しない場合もある。したがって、上記固定的なコンテンツを繰返して再生する場合、装置の周囲に存在する閲覧者数の多寡によっては、コンテンツの出力自体が冗長なもの、あるいは反対に不十分なものとなり得る。
【０００６】
本発明は上記のような実情に鑑みてなされたもので、その目的とするところは、周囲の環境に対応して常に適切なコンテンツを提示することが可能な表示システム、表示装置及び表示方法を実現することにある。
【課題を解決するための手段】
【０００７】
本発明の一態様は、所定の領域の画像を撮影する撮像部と、上記撮像部で得た画像により上記領域に存在する人数を判定する判定部と、上記判定部での判定結果に応じて複数のコンテンツデータの中から、対応するコンテンツデータを選択して読出す選択部と、を備えることを特徴とする。
【発明の効果】
【０００８】
本発明によれば、周囲の環境に対応して常に適切なコンテンツを提示することが可能となる。
【図面の簡単な説明】
【０００９】
【図１】本発明の一実施形態に係るシステム全体の構成を示す図。
【図２】同実施形態に係るサイネージ装置の外観構成を示す斜視図。
【図３】同実施形態に係るサイネージの電子回路の機能構成を示すブロック図。
【図４】同実施形態に係るサイネージ装置と販売支援サーバ双方で実行されるコンテンツ再生の処理内容を示すフローチャート。
【図５】同実施形態に係る操作ボタンに対して割り当てられた商品の例を示す図。
【図６】同実施形態に係る人数から換算する混雑度情報の例を示す図。
【図７】同実施形態に係る販売支援サーバのデータベースから読出されるデジタルカメラ用の一連のコンテンツデータを示す図。
【発明を実施するための形態】
【００１０】
以下、本発明を店舗で使用されるサイネージシステムに適用した場合の一実施形態について、図面を参照して説明する。
【００１１】
図１は、同システム全体の接続構成を示すブロック図である。店舗フロア内に複数のサイネージ装置１０，１０，‥‥が設置される。これらサイネージ装置１０，１０，‥‥が、無線ＬＡＮやインターネットを含むネットワークＮＷを介して、外部の販売支援サーバＳＶと接続される。
【００１２】
販売支援サーバＳＶは、各サイネージ装置１０，１０，‥‥で再生するための複数のコンテンツデータを記憶するデータベース（ＤＢ）を備える。
【００１３】
図２は、上記サイネージ装置１０の外観構成を示す斜視図である。サイネージ装置１０はプロジェクタ技術を用いた電子マネキンであり、装置筐体１０Ａの上面前端側に、交換可能なサイネージボードＳＢが立設される。このサイネージボードＳＢは、サイネージ１０の本来は矩形の投影可能領域内に収まるように設置された、任意形状を有する半透過板状の構成を有する。
【００１４】
サイネージボードＳＢは、装置筐体１０Ａの上面に設けられた、図示しないリアプロジェクション方式の投影レンズから出射された光像が背面側から投影されることで、例えば図示するような画像を表示する。
【００１５】
このサイネージボードＳＢの下部には複数、ここでは４個の操作ボタンＢ１〜Ｂ４を合わせて投影しており、当該ボタン中のいずれかを閲覧者がタッチ操作した場合、ボード取付け基部に配列された、それぞれが指向性を有するライン状の赤外線センサアレイにより当該操作位置が検知可能となっている。
【００１６】
さらに装置筐体１０Ａの前面には、このサイネージ装置１０の前面側の環境を撮影するための超広角光学系の撮像部ＩＭを備える。
【００１７】
次に図３によりサイネージ１０の主として電子回路の機能構成を説明する。コンテンツメモリ２０には上記販売支援サーバＳＶから受信したコンテンツデータが記憶される。このコンテンツデータは、画像データと音データ、及び制御データ等から構成される。コンテンツデータ中の画像データは、後述するＣＰＵ３２により読出され、システムバスＢＳを介して投影画像駆動部２１に送られる。
【００１８】
上記投影画像駆動部２１は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子２２を表示駆動する。
【００１９】
このマイクロミラー素子２２は、アレイ状に配列された複数個、例えばＷＸＧＡ（横１２８０画素×縦７６８画素）分の微小ミラーの各傾斜角度を個々に高速でオン／オフ動作して表示動作することで、その反射光により光像を形成する。
【００２０】
一方で、光源部２３から時分割でＲ，Ｇ，Ｂの原色光が循環的に出射される。光源部２３は、半導体発光素子であるＬＥＤを有し、Ｒ，Ｇ，Ｂの原色光を時分割で繰返し出射する。光源部２３が有するＬＥＤは、広義でのＬＥＤとして、ＬＤ（半導体レーザ）や有機ＥＬ素子を含むものとしても良い。
【００２１】
また、ＬＥＤから出射された光を蛍光体に照射することで励起される、元の光とは波長が異なる原色光を用いるものとしても良い。この光源部２３からの原色光が、ミラー２４で全反射して上記マイクロミラー素子２２に照射される。
【００２２】
そして、マイクロミラー素子２２での反射光で光像が形成され、形成された光像が投影レンズ部２５を介して上記サイネージボードＳＢの背面に投射される。
【００２３】
上記撮像部ＩＭは、サイネージ装置１０の正面方向を向いた超広角系の撮影レンズ部２７、及びこの撮影レンズ部２７の焦点位置に配設された固体撮像素子であるＣＭＯＳイメージセンサ２８を含む。
【００２４】
ＣＭＯＳイメージセンサ２８で得られる画像信号は、Ａ／Ｄ変換器２９でデジタル化された後、撮影画像処理部３０に送られる。
【００２５】
この撮影画像処理部３０は、上記ＣＭＯＳイメージセンサ２８を走査駆動して撮影動作を実行させ、撮影により得た画像データをデータファイル化して、後述するＣＰＵ３２に送出する。
【００２６】
上記各回路の動作すべてをＣＰＵ３２が制御する。このＣＰＵ３２は、メインメモリ３３及びプログラムメモリ３４と直接接続される。メインメモリ３３は、例えばＳＲＡＭで構成され、ＣＰＵ３２のワークメモリとして機能する。プログラムメモリ３４は、電気的書換可能な不揮発性メモリ、例えばフラッシュＲＯＭで構成され、ＣＰＵ３２が実行する動作プログラムや各種定型データ等を記憶する。
【００２７】
ＣＰＵ３２は、上記プログラムメモリ３４に記憶されている動作プログラムや定型データ等を読出し、メインメモリ３３に展開して記憶させた上で当該プログラムを実行することにより、このサイネージ１０を統括して制御する。
【００２８】
上記ＣＰＵ３２は、操作部３５からの操作信号に応じて各種投影動作を実行する。この操作部３５は、サイネージ１０の本体に備える、電源キーを含むいくつかの操作キーのキー操作信号、または上記サイネージボードＳＢの一部に仮想的に投影するボタンへの操作を検出する、上記赤外線センサアレイからの検出信号を受付け、受付けた操作に応じた信号を上記ＣＰＵ３２へ送出する。
【００２９】
上記ＣＰＵ３２はさらに、上記システムバスＢＳを介して音処理部３６、無線ＬＡＮインタフェース（Ｉ／Ｆ）３８と接続される。  
音処理部３６は、ＰＣＭ音源等の音源回路を備え、投影動作時に上記コンテンツメモリ２０から読出されるコンテンツデータ中の音データをアナログ化し、スピーカ部３７を駆動して放音させ、あるいは必要によりビープ音等を発生させる。
【００３０】
無線ＬＡＮインタフェース３８は、無線ＬＡＮアンテナ３９を介して図示しない最寄りの無線ＬＡＮルータと接続し、データの送受を行なうもので、上記図１の販売支援サーバＳＶと交信する。
【００３１】
次に上記実施形態の動作について説明する。  
図４は、端末側の装置であるサイネージ装置１０と販売支援サーバＳＶの間で実行される、コンテンツの配信と再生に係る動作を示すフローチャートである。
【００３２】
端末側の装置サイネージ装置１０においては、予め設定されているデフォルトの商品に関する画像投影状態からＣＰＵ３２がサイネージボードＳＢの操作ボタンＢ１〜Ｂ４での操作があるか否かを操作部３５からの入力により繰返し判断することで（ステップＳ１０１）、これらのいずれかが操作されるのを待機する。
【００３３】
図５は、このときサイネージ装置１０の操作ボタンＢ１〜Ｂ４に対して割り当てられた商品の例を示す。  
上記操作ボタンＢ１〜Ｂ４のいずれかが閲覧者により操作された場合、ＣＰＵ３２は操作ありと判断し（ステップＳ１０１のＹｅｓ）、その時点で撮像部ＩＭの撮影画像処理部３０によりサイネージ装置１０の前方側周囲を撮像させる（ステップＳ１０２）。
【００３４】
撮影画像処理部３０では、この撮像により得た画像データに対する顔認識処理を実行して、画像中から人物の顔部分を抽出し、その数をカウントし人数情報としてＣＰＵ３２へ送出する（ステップＳ１０３）。
【００３５】
ＣＰＵ３２では、撮影画像処理部３０から受信した人数情報に基づいて、当該サイネージ装置１０の周囲環境を示す混雑度情報に換算する。  
図６は、このときＣＰＵ３２が検出された人数から換算する混雑度情報の例を示すもので、人数に応じて「０」〜「３」の４段階に分類するものとしている。
【００３６】
こうして換算した混雑度の情報を、上記ステップＳ１０１で受付けた操作ボタンＢ１〜Ｂ４のいずれかの情報と組合せ、自機の識別情報を付加してコンテンツデータの配信要求とした上で、無線ＬＡＮインタフェース３８、無線ＬＡＮアンテナ３９により上記ネットワークＮＷを介して販売支援サーバＳＶへ送信する（ステップＳ１０４）。  
その後にＣＰＵ３２は、対応するコンテンツデータが販売支援サーバＳＶ側から送られてくるのを待機する（ステップＳ１０５）。
【００３７】
販売支援サーバＳＶでは、各サイネージ装置１０，１０，‥‥からコンテンツデータの配信要求があるのを常時待機しており（ステップＳ２０１）、配信要求があったと判断した時点で（ステップＳ２０１のＹｅｓ）、その配信要求に付帯されている混雑度の情報を判定する（ステップＳ２０２）。
【００３８】
上記ステップＳ２０２で混雑度の情報が「１」以下、すなわち「０」または「１」であり、上記図６によれば当該サイネージ装置１０の周囲（前方）に「０（ゼロ）」人乃至「４」人の閲覧者しか存在しないと判定した場合、販売支援サーバＳＶではデータベースから配信要求中の操作ボタンの識別情報に対応した全重要度のコンテンツデータを取り纏めてデータファイル化する（ステップＳ２０３）。
【００３９】
図７は、このとき販売支援サーバＳＶのデータベースで、サイネージ装置１０での操作ボタンＢ１の操作に対応して用意されるデジタルカメラ用の一連のコンテンツデータＣ１１〜Ｃ１６を示す。このように、一連のコンテンツデータＣ１１〜Ｃ１６は、複数のコンテンツデータから成る。各コンテンツデータＣ１１〜Ｃ１６はそれぞれ、音データと画像データ、及び重要度データから構成されるものとする。つまり、各コンテンツデータＣ１１〜Ｃ１６は、重要度が付与されている。
【００４０】
重要度データとしては、「☆☆☆」「☆☆」「☆」の３段階に分けて設定され、図中でも説明しているように☆の数が多いほど閲覧者への説明の重要度が高い情報であるものとする。
【００４１】
上述したように混雑度の情報からサイネージ装置１０の周囲（前方）に存在する閲覧者の数が比較的少ないと判定した場合、販売支援サーバＳＶでは全重要度のコンテンツデータＣ１１〜Ｃ１６を取り纏めてデータファイル化する。
【００４２】
また上記ステップＳ２０２で混雑度の情報が「２」であり、上記図６によれば当該サイネージ装置１０の周囲（前方）に「５」人乃至「９」人の閲覧者が存在すると判定した場合、販売支援サーバＳＶではデータベースから配信要求中の操作ボタンの識別情報に対応した重要度「☆☆☆」及び「☆☆」のコンテンツデータを取り纏めてデータファイル化する（ステップＳ２０４）。
【００４３】
この場合、上述したように混雑度の情報からサイネージ装置１０の周囲（前方）に存在する閲覧者の数が比較的中庸であると判定した場合、販売支援サーバＳＶでは最も重要度の低い「☆」のコンテンツデータＣ１３，Ｃ１５を除き、コンテンツデータＣ１１，Ｃ１２，Ｃ１４，Ｃ１６を取り纏めてデータファイル化する。
【００４４】
さらに上記ステップＳ２０２で混雑度の情報が「３」であり、上記図６によれば当該サイネージ装置１０の周囲（前方）に「１０」人以上の閲覧者が存在すると判定した場合、販売支援サーバＳＶではデータベースから配信要求中の操作ボタンの識別情報に対応した重要度「☆☆☆」のコンテンツデータのみを取り纏めてデータファイル化する（ステップＳ２０５）。
【００４５】
このとき、上述したように混雑度の情報からサイネージ装置１０の周囲（前方）に存在する閲覧者の数が比較的多いと判定した場合、販売支援サーバＳＶでは最も重要度の高い「☆☆☆」のコンテンツデータＣ１１，Ｃ１６のみを取り纏めてデータファイル化する。  
上記のようにステップＳ２０３〜Ｓ２０５のうちのいずれかの処理によってコンテンツデータをファイル化した後、販売支援サーバＳＶではファイル化したコンテンツデータを、配信要求を送信してきたサイネージ装置１０に返送し（ステップＳ２０６）、維持用で一連の処理を終了すると共に、次の配信要求に備えて上記ステップＳ２０１からの処理に戻る。上記のように、選択部は、重要度に応じて選択するコンテンツデータを変える。
【００４６】
配信要求を販売支援サーバＳＶに送信したサイネージ装置１０では、販売支援サーバＳＶから応答としてコンテンツデータのファイルを受信して判断した時点で（ステップＳ１０５のＹｅｓ）、受信したコンテンツデータをコンテンツメモリ２０に記憶させた上で、記憶したコンテンツデータを構成する画像データを用いて投影画像駆動部２１、マイクロミラー素子２２、光源部２３等により画像を投影させると共に、音データを用いて音処理部３６、スピーカ部３７により音を拡大出力させる（ステップＳ１０６）。そして、一連の画像、音声の再生出力を一通り終えた時点で、次のボタン操作に対応したコンテンツ再生に備えて上記ステップＳ１０１からの処理に戻り、再び予め設定されているデフォルトの商品に関する画像投影状態に移行する。
【００４７】
以上詳述した如く本実施形態によれば、サイネージ装置１０，１０，‥‥が位置する周囲の環境に対応して、常に適切なコンテンツを提示することが可能となる。
【００４８】
上記実施形態では、人数に応じてコンテンツの重要度を設定し、その重要度に応じて再生するコンテンツデータを選択するようにしたので、サイネージ装置１０，１０，‥‥が位置する周囲の環境から、より重要と考えられるコンテンツを確実に提示できる。
【００４９】
特に上記実施形態では、人数がより多い場合に、より重要度が低いコンテンツデータの選択を段階的に省略することにより、効率的に重要度の高いコンテンツを多くの閲覧者に提示できる。
【００５０】
また上記実施形態では説明しなかったが、例えばサイネージ装置１０の周囲に存在する人数が多くなるにしたがって上記スピーカ部３７より出力する音のレベルを段階的に上げるなど、音コンテンツの出力態様を可変することで、画像コンテンツの出力態様を可変することと併せて、閲覧者に対してより常に適切な提示を行なうことができる。
【００５１】
なお上記実施形態では、サイネージ装置１０がネットワークＮＷを介して販売支援サーバＳＶと接続されたサイネージシステムに適用した場合について説明したが、このようなシステムを構築することによって、お薦めの商品やタイムサービス、売れ筋商品を取扱う売り場へのガイドなど、フレキシビリティに富んだ各種セールス情報をリアルタイムに提供することができる他、複数台のサイネージ装置１０，１０，‥‥で連係して閲覧者を誘導し、あるいは閲覧者による操作情報などを統計化して商品の販売促進用の資料を得るなど、広い範囲への適用が可能となる。
【００５２】
また上記実施形態においては、コンテンツデータを販売支援サーバＳＶからサイネージ１０に受信する際、操作ボタンＢ１〜Ｂ４のいずれかの操作で選択した商品の一連のコンテンツＣ１１〜Ｃ１６を混雑度（重要度）の情報に基づいて、一連のコンテンツＣ１１〜Ｃ１６のうちの必要なコンテンツのみ受信したが、本発明はこれに限らない。
【００５３】
例えば、、ユーザによって操作ボタンＢ１〜Ｂ４のいずれかが操作された場合、上記図５に示したような操作ボタンＢ１〜Ｂ４に対して割り当てられた商品に対応するコンテンツデータを販売支援サーバＳＶ側から受信する際、混雑度（重要度）に関係なくすべてのコンテンツＣ１１〜Ｃ１６を一括して受信するようにしても良い。
【００５４】
一方で、サイネージ装置１０をスタンドアロンタイプの装置として使用し、予め記憶させた複数のコンテンツデータの中から選択したものを再生するような構成とすることで、比較的小規模な店舗等での導入、設置が容易となる。
【００５５】
なお上記実施形態では、サイネージ装置１０が備える撮像部ＩＭによりサイネージ装置１０の周囲に存在する閲覧者の画像を撮影するものとして説明したが、コンテンツの再生を行なう装置とは別に、その再生装置周辺の画像を撮影する撮像装置を設けることも考えられる。
【００５６】
また上記コンテンツデータの再生に際して、閲覧者はどの程度コンテンツの再生が進んでいるのか、その進行過程が把握し難いこともあるため、コンテンツ全体の再生時間と再生途中の経過時間とを数値等と併せて視覚的に表現するものとしても良い。
【００５７】
上記実施形態においては、操作ボタンＢ１〜Ｂ４のいずれかが閲覧者により操作された場合、その時点でサイネージ装置１０の前方側周囲を撮像させ、撮像した画像中から人物の数をカウントし、人数情報に基づいてサイネージ装置１０の周囲環境を示す混雑度の情報に換算した。
【００５８】
しかし、撮像するタイミングは、操作ボタンＢ１〜Ｂ４を操作したときのみに限らない。  
例えば、操作ボタンＢ１〜Ｂ４のいずれかが閲覧者により操作された場合、ＣＰＵ３２は操作ありと判断し（ステップＳ１０１のＹｅｓ）、その時点で撮像部ＩＭの撮影画像処理部３０によりサイネージ装置１０の前方側周囲を撮像させる（ステップＳ１０２）。
【００５９】
また、ユーザによって操作された操作ボタンＢ１〜Ｂ４に対応するコンテンツデータを販売支援サーバＳＶ側から受信する。この際、混雑度（重要度）に関係なくすべてのコンテンツＣ１１〜Ｃ１６を一括して受信する。そして、顔認識機能により視聴しているユーザが何人いるかをカウントする。
【００６０】
カウントした最初の人数が、一例として４人である場合には、上記図６に示したように混雑度を１と判断し、コンテンツデータＣ１１〜Ｃ１６までのすべてのコンテンツを再生する制御を実施するため、まずＣ１１の再生を開始する。
【００６１】
次に、コンテンツが再生されてから所定時間経過後、または各コンテンツデータＣ１１〜Ｃ１６の切り替わりタイミングの少し前（コンテンツデータＣ１１再生終了時間の少し前の時点）に再びサイネージ装置１０の前方側周囲を撮像する。
【００６２】
そして、撮像した画像中から人物の数をカウントする。この動作により、操作ボタンＢ１〜Ｂ４の操作時からＣ１１のコンテンツデータ再生終了の少し前の時点までの時間）の間、サイネージ装置１０の前方で視聴していたと思われる人数をカウントすることができる。
【００６３】
所定時間後の撮像によってカウントされた人数が、仮に１０人であった場合、上記図６に示したように混雑度３と判定し、再生する予定の当初のコンテンツはＣ１２であったが、混雑度が３であるため、図７に示したように、２つのコンテンツＣ１１とＣ１６のみの再生に切り替えて、次に再生するコンテンツをＣ１６に変更する。
【００６４】
このように、顔認識した人物を追跡し、前回の撮像時から今回の撮像時までの間で、ある所定時間、何人が継続してコンテンツを視聴しているかをカウントすることで、そのコンテンツを視聴しているユーザの数に応じて再生する一連のコンテンツの長さを適宜変更することができる。
【００６５】
よって、当初の視聴人数に対応する一連のコンテンツが終了するまで再生し続けるのではなく、各コンテンツを切り替えるタイミング毎に人数をカウントして適宜再生するコンテンツを変更することができるので、なお一層周囲の環境に対応して常に適切なコンテンツを提示することができる。
【００６６】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００６７】
以下に、本願出願の当初の特許請求の範囲に記載された発明を付記する。  
［請求項１］  
所定の領域の画像を撮影する撮像部と、  
上記撮像部で得た画像により上記領域に存在する人数を判定する判定部と、  
上記判定部での判定結果に応じて複数のコンテンツデータの中から、対応するコンテンツデータを選択して読出す選択部と、  
を備えることを特徴とする表示システム。  
［請求項２］  
上記複数のコンテンツデータは、関連する一連のコンテンツデータであり、  
各上記コンテンツデータは、重要度が付与されており、  
上記選択部は、重要度に応じて選択するコンテンツデータを変える  
ことを特徴とする請求項１記載の表示システム。  
［請求項３］  
上記対応するコンテンツデータを再生する再生部をさらに備え、  
上記撮像部が撮像するタイミングは、コンテンツデータの再生開始前であり、  
上記再生部におけるコンテンツデータの再生途中の所定のタイミングに、上記撮像部は、上記所定の領域の画像を撮影し、  
上記判定部は、上記所定のタイミングの撮影で得た画像により上記領域に存在する人数を判定し、  
上記所定のタイミングの撮影で得た画像による判定結果に対応する第２の重要度が、上記コンテンツデータの再生開始前の撮像で得た画像による判定結果に対応する第１の重要度と異なる場合には、上記第２の重要度に対応するコンテンツデータを選択して読出す制御部と、  
を備えることを特徴とする請求項１または２記載の表示システム。  
［請求項４］  
上記所定のタイミングは、所定時間経過毎、または複数のコンテンツデータを含む一連のコンテンツデータのうちの各コンテンツデータの切り替え直前であることを特徴とする請求項３記載の表示システム。  
［請求項５］  
上記コンテンツデータを複数記憶した記憶部と、  
上記選択部で選択した上記コンテンツデータにより、コンテンツを出力するコンテンツ出力部と、  
をさらに備え、  
上記選択部は、上記記憶部から上記コンテンツデータを選択して読出す  
ことを特徴とする請求項１乃至４いずれか記載の表示システム。  
［請求項６］  
上記記憶部は、人数に対応した重要度を示す情報と関連付けて上記複数のコンテンツデータを記憶し、  
上記選択部は、上記判定部での判定結果により重要度が合致するコンテンツデータを選択して読出す  
ことを特徴とする請求項５記載の表示システム。  
［請求項７］  
上記記憶部は、人数がより多い場合に重要度が高くなることを示す情報と関連付けて上記複数のコンテンツデータを記憶し、  
上記選択部は、上記判定部での判定結果に応じて人数がより多い場合に上記記憶部から重要度が低いコンテンツデータの選択を段階的に省略する  
ことを特徴とする請求項６記載の表示システム。  
［請求項８］  
上記記憶部が記憶する複数のコンテンツデータは音データを含み、  
上記コンテンツ出力部は、上記判定部での判定結果に応じて音データの出力態様を可変する  
ことを特徴とする請求項５乃至７いずれか記載の表示システム。  
［請求項９］  
所定の領域の画像を撮影する撮像手段と、  
上記撮像手段で得た画像により上記領域に存在する人数を判定する判定手段と、  
上記判定手段での判定結果に応じて複数のコンテンツデータの中から、対応するコンテンツデータを選択して読出す選択手段と、  
を備えることを特徴とする表示装置。  
［請求項１０］  
所定の領域の画像を撮影する第１の撮像工程と、  
上記第１の撮像工程で得た画像により上記領域に存在する人数を判定する第１の判定工程と、  
上記第１の判定工程での判定結果に応じて複数のコンテンツデータの中から、対応するコンテンツデータを選択して読出す第１の選択工程と、  
を有することを特徴とする表示方法。  
［請求項１１］  
上記対応するコンテンツデータを再生する第１の再生工程と、  
上記第１の再生工程におけるコンテンツデータの再生途中の所定のタイミングに、上記所定の領域の画像を撮影する第２の撮像工程と、  
上記第２の撮像工程で得た画像により上記領域に存在する人数を判定する第２の判定工程と、  
を有し、  
各上記コンテンツデータは、重要度が付与されており、  
上記第２の判定工程での判定結果に対応する第２の重要度が、上記第１の判定工程での判定結果に対応する第１の重要度と異なる場合には、上記第２の重要度に対応するコンテンツデータを選択して読出す第２の選択工程と、  
を有することを特徴とする請求項１０記載の表示方法。  
［請求項１２］  
上記所定のタイミングは、所定時間経過毎、または複数のコンテンツデータを含む一連のコンテンツデータのうちの各コンテンツデータの切り替え直前であることを特徴とする請求項１１記載の表示方法。
【符号の説明】
【００６８】
１０…サイネージ装置、
１０Ａ…装置筐体、
２０…コンテンツメモリ、
２１…投影画像駆動部、
２２…マイクロミラー素子２２、
２３…光源部、
２４…ミラー、
２５…投影レンズ部、
２７…撮影レンズ部、
２８…ＣＭＯＳイメージセンサ、
２９…Ａ／Ｄ変換器、
３０…撮影画像処理部、
３２…ＣＰＵ、
３３…メインメモリ、
３４…プログラムメモリ、
３５…操作部、
３６…音処理部、
３７…スピーカ部、
３８…無線ＬＡＮインタフェース（Ｉ／Ｆ）、
３９…無線ＬＡＮアンテナ、
Ｂ１〜Ｂ４…操作ボタン、
ＢＳ…システムバス、
ＩＭ…撮像部、
ＮＷ…ネットワーク、
ＳＢ…サイネージボード、
ＳＶ…販売支援サーバ。
【図１】
2016057607.tif 000003
【図２】
2016057607.tif 000004
【図３】
2016057607.tif 000005
【図４】
2016057607.tif 000006
【図５】
2016057607.tif 000007
【図６】
2016057607.tif 000008
【図７】
2016057607.tif 000009